【事件の表示】
　特願２００１−　　　１７７「景品交換管理装置」拒絶査定不服審判事件〔平成１４年　７月１６日出願公開、特開２００２−２００３１０〕について、次のとおり審決する。
【結　論】
　本件審判の請求は、成り立たない。
【理　由】
　
第１　手続の経緯　　
　　
　本願は平成１３年１月４日に出願されたものであって、平成２０年４月１８日付けで拒絶の査定がされたところ、これを不服として同年５月２２日付けで本件審判請求がされるとともに、同年６月２３日付けで明細書についての手続補正がされたものである。　　
　　
　　
第２　補正の却下の決定　　　
　　
［補正の却下の決定の結論］　　
　　
　平成２０年６月２３日付けの手続補正を却下する。　
　　
［理由］　　
　
１．補正前後における特許請求の範囲の記載　　
　平成２０年６月２３日付け手続補正（以下、「本件補正」という。）は、明細書の特許請求の範囲の補正を含んでおり、補正の前後における特許請求の範囲の記載は、請求項１について見れば、下記のとおりである。従属請求項請求項２及び３については、本件補正の前後において記載の変更はされていないので、摘記は省略する。なお、（補正前）については下線を省略する。　
　
（補正前）　　
「【請求項１】　
　遊技客が獲得した遊技媒体を、その個数に応じて、交換価値金額毎に異なる色に着色された複数種類の特殊景品に交換する際に利用する景品交換管理装置であって、　
　前記特殊景品の種類毎に、対応する特殊景品の着色と同色ないし同系色に設定された色のみを示す色表示を記憶する記憶手段と、　
　前記遊技媒体の個数を含むデータを入力するデータ入力手段と、　
　このデータ入力手段によって入力された前記遊技媒体の個数の全部または一部を各特殊景品の個数に換算する演算手段と、　
　この演算手段によって換算された各特殊景品の個数に応じて、当該特殊景品の種類毎に、前記記憶手段に記憶された色表示を、個数を示す文字と共に表示する表示手段と　
を備え、前記色表示は矩形をなしている、ことを特徴とする景品交換管理装置。」　　
　　
（補正後）　　
「【請求項１】　
　遊技客が獲得した遊技媒体を、その個数に応じて、交換価値金額毎に異なる色に着色された複数種類の特殊景品に交換する際に利用する景品交換管理装置であって、　
　前記特殊景品の種類毎に、対応する特殊景品の着色と同色ないし同系色に設定された色のみを示す色表示を記憶する記憶手段と、　
　前記遊技媒体の個数を含むデータを入力するデータ入力手段と、　
　このデータ入力手段によって入力された前記遊技媒体の個数の全部または一部を各特殊景品の個数に換算する演算手段と、　
　
当該景品交換管理装置を操作する店員側に設けられ、前記
を備え、前記色表示は矩形をなしている、ことを特徴とする景品交換管理装置。」　　
　
２．補正事項及び補正目的　　
　補正前後の請求項１を比較すると、本件補正は、補正前の請求項１における「表示手段」が、「景品交換管理装置を操作する店員側」に設けられることを特定した点で、補正前の請求項１に係る発明を限定したものである。そのため、本件補正は、平成１８年法律第５５号改正附則３条１項によりなお従前の例によるとされる同法による改正前の特許法（以下、「平成１８年改正前特許法」という。）１７条の２第４項２号を目的とするもの、すなわち、限定的減縮を目的とするものと認める。　
　そこで、以下、本件補正が平成１８年改正前特許法１７条の２第５項において準用する同法１２６条５項の規定に適合するか否か、すなわち、補正後の請求項１に係る発明が特許出願の際独立して特許を受けることができたか否か、について検討する。　　
　　
３．補正発明の認定　　
　本件補正後の請求項１に係る発明（以下、「補正発明」という。）は、本件補正により補正された明細書の特許請求の範囲における、【請求項１】に記載された事項により特定されるべきものであり、その記載は「１．」に（補正後）として示したとおりである。　
　　
４．引用刊行物に記載される事項の認定　　
　本件出願前に頒布された刊行物であり、原査定の拒絶の理由に引用された、特開平１０−１１３４４５号公報（以下、「引用例１」という。）には、次の記載がされている。なお、引用中における改行は「　／　」で代替した。　
　
　ア．「【００２０】景品交換カウンタにはカードリーダ６を備えたＰＯＳ７（本発明の端末機に相当）が設置されている。このＰＯＳ７は、カードリーダ６が会員カードを読取った状態でパチンコ玉が投入されたときは、景品管理装置１からの会員データに基づいて遊技客がそれまでに獲得したパチンコ玉数と交換可能な景品を表示すると共に、端数（余り玉）を表示する。また、ＰＯＳ７は、景品管理装置１を通じて台管理装置２に記憶された各パチンコゲーム機３の稼働情報を入手して表示すると共に、外部操作に応じて所定のパチンコゲーム機３の打止及び開放を行う機能が付加されている。　／　【００２１】図４及び図５はＰＯＳ７の外観を示している。これらの図４及び図５において、ＰＯＳ７にはキーボード８、タッチパネル９を備えた店側表示部１０、プリンタ１１、電源スイッチ１２、及びハンドスキャナー１３が設けられていると共に、背面側には客側表示部１４が設けられている。ここで、店側表示部１０は所定角度範囲内で任意の角度に調整可能であると共に、角度調整ロック機構１５によりその角度を固定できるようになっている。　／　【００２２】図６はＰＯＳ７の電気的構成を示している。この図６において、ＰＯＳ７はＣＰＵ１６を主体として構成されており、ＣＰＵ１６は、ＲＯＭ１７に記憶されたプログラムに従って動作すると共に、バックアップ機能を有するＲＡＭ１８にデータを適宜記憶するようになっている。　／　【００２３】ＣＰＵ１６は、時計部１９から現在日時を入力すると共に、キーボード８、タッチパネル９、ハンドスキャナ１３、カードリーダ４，６からデータを入力する。また、ＣＰＵ１６は、店側表示部１０及び客側表示部１４に各種データを表示すると共に、プリンタ１１により預り券を印刷し、さらに送受信部２０を通じて景品管理装置１と送受信を行うようになっている。」　　
　イ．「【００２８】図９は店側表示部１０の初期画面を示している。この図９において、初期画面としては、次の操作或いはデータが入力するまで待機していることを示す「待機中」というメッセージを表示すると共に、総玉数、特殊景品数、景品名、単価、個数、交換可能玉数、端数、並びに一般景品名を表示する。また、「台操作」、「設定」が可能なことを表示する。この場合、「台操作」及び「設定」はオペレータ設定により非表示状態に切替えることができる。　／　【００２９】図１０は客側表示部１４の初期画面を示している。この図１０において、客側表示部１０には、総玉数、「大」の特殊景品数、「中」の特殊景品数、「小」の特殊景品数、特殊景品との交換可能玉数、端数が夫々表示されるようになっている。　／　【００３０】尚、「大」の特殊景品数はパチンコ玉が２０００玉（１つのパチンコ玉の交換レートが２円５０銭に設定されているときは５０００円分に相当）と交換可能であることを示し、「中」の特殊景品数は４００玉（１０００円分に相当）と交換可能であることを示し、「小」の特殊景品数は８０玉（２００円分に相当）と交換可能であることを示している。」　　
　ウ．「【００４９】一方、会員カードを携帯していない人は、計数機５による計数により預り券を入手することができるので、景品との交換を希望するときは、預り券を景品交換カウンタに提出する。　／　【００５０】ここで、担当従業員は、預り券に印刷されたバーコードをハンドスキャナー１３で読取る。この場合、預り券として数値のみが記載されているタイプのもの、或いはハンドスキャナー１３によるバーコードの読取りが困難なときは、キーボード８から玉数を入力する。」　
　エ．「【００５１】すると、ＰＯＳ７は、ハンドスキャナー１３或いはキーボード８から玉数が入力したときは、上述した会員データの入力時と同様に、店側表示部１０に総玉数、特殊景品数、交換可能玉数及び端数を表示部に表示すると共に（Ａ８〜Ａ１０）、それらの情報を客先表示部１４にも表示する（Ａ１１）。　／　【００５２】図１３は店側表示部１０の表示の一例を示している。この図１３において、店側表示部１０には、総玉数が「２４５０玉」、交換可能な「大」の特殊景品数が「１」、「中」の特殊景品数が「１」、そのときの特殊景品との交換可能玉数が「２４００玉」、端数が「５０玉」であることを表示している。」　　
　オ．「【００５３】また、店側表示部１０の下部には各種煙草の銘柄が表示されており、その表示部をタッチ操作することにより遊技客が希望する煙草を選択できるようになっている。この場合、他の煙草の銘柄及び煙草の個数、或いは他の一般景品の銘柄はＰＯＳ７のキーボード８に対する操作、或いはハンドスキャナー１３による所定のバーコードの読取りにより入力する。　／　【００５４】図１４は一般景品の入力が終了した表示例を示している。この図１４において、店側表示部１０は、総玉数が２４５０玉のときに遊技客がマイルドセブンを１０個希望した例を示しており、そのときの「中」の特殊景品との交換可能数が「４」、「小」の特殊景品との交換可能数が「３」であることを示すると共に、特殊景品との交換可能数が「１８４０玉」、端数が「６０玉」であることを表示している。」　
　カ．「【００５５】さて、ＰＯＳ７に予め設定した設定内容を変更する場合は、店側表示部１０に表示されている「設定」表示部をタッチ操作する。すると、ＰＯＳ７は、「設定表示部」がタッチ操作されたときは（Ａ２１：ＹＥＳ）、設定処理を実行する（Ａ２２）。この設定処理としては、オペレータ設定、景品設定、キーボード設定、タッチパネル設定がある。この場合、オペレータ設定によりオペレータと操作条件とを設定できる。また、景品設定により景品と交換玉数との関係を設定することができる。また、キーボード設定によりキーボード８のキー機能を設定することができる。さらに、タッチパネル設定によりタッチパネル９と表示内容との関係を設定することができる。」　
　
５．引用刊行物記載の発明の認定　　
　記載事項ア．から、引用例１には、「景品交換カウンタ」に設けられる「ＰＯＳ７」と、該「ＰＯＳ７」と通信して協働する「景品管理装置１」とが記載されている。該「ＰＯＳ７」及び「景品管理装置１」は、「パチンコ玉」を「景品」と交換する際に利用されるものである。そして、該「ＰＯＳ７」は、「店側表示部１０」、「ハンドスキャナー１３」、「ＣＰＵ１６」、及び、データを適宜記憶する「ＲＡＭ１８」を有している。　
　記載事項イ．によれば、パチンコ玉と交換される景品には、５０００円分、１０００円分、２００円分の交換価値を持ち、それぞれパチンコ玉２０００玉、４００玉、８０玉と交換される「特殊景品」が含まれており、上記「ＰＯＳ７」及び「景品管理装置１」は、「パチンコ玉」をこれら「特殊景品」と交換する際にも利用される。そして、同記載事項中で言及される【図９】の図示も参照すれば、「店側表示部１０」には、各「特殊景品」の交換可能数が、それぞれ「大」、「中」、「小」の表記と共に数字で表示されており、当該「大」、「中」、「小」の表記は店側表示部１０上で各特殊景品を示すものであることが明らかである。　
　記載事項ウ．によれば、前記「ＰＯＳ７」の有する「ハンドスキャナー１３」は、パチンコ玉の「玉数」を示す「預り券」の「バーコード」を読み取る。
　そして、記載事項エ．によれば、前述入力された「玉数」が「２４５０玉」である場合、交換可能な「大」の特殊景品数が「１」、「中」の特殊景品数が「１」、端数が「５０玉」であることが、「店側表示部１０」に表示される。記載事項エ．中で言及される【図１３】によれば、このとき特殊景品については、「大」の表記と「１」、「中」の表記と「１」、「小」の表記と「０」とが表示される。　
　さらに、記載事項オ．及び同記載事項中で言及される【図１４】によれば、該「２４５０玉」の一部を「一般景品」の煙草１０個に用いれば、「店側表示部１０」には、特殊景品について、「大」の表記と「０」、「中」の表記と「４」、「小」の表記と「３」とが表示され、端数が「６０玉」と表示される。
　記載事項カ．によれば、「ＰＯＳ７」からは「景品設定」が可能である。
　　
　以上をまとめると、引用例１には　
　「景品交換カウンタに設けられるＰＯＳ７と、該ＰＯＳ７と通信して協働する景品管理装置１とを含み、パチンコ玉を景品と交換する際に利用される装置であって、　
　景品には、５０００円分、１０００円分、２００円分の交換価値を持ち、それぞれパチンコ玉２０００玉、４００玉、８０玉と交換される特殊景品が含まれ、　
　ＰＯＳ７は店側表示部１０、ハンドスキャナー１３、ＣＰＵ１６、及びデータを適宜記憶するＲＡＭ１８を有し、ＰＯＳ７からは景品設定が可能であり、
　ハンドスキャナー１３は、パチンコ玉の玉数を示す預り券のバーコードを読み取り、
　店側表示部１０には、読み取ったパチンコ玉の玉数と交換可能な特殊景品の数が、５０００円分の特殊景品、１０００円分の特殊景品、２００円分の特殊景品の各特殊景品毎に、各特殊景品を店側表示部１０上で示す「大」「中」「小」の表記と共に数字で表示され、　
　読み取ったパチンコ玉の玉数が２４５０玉である場合には、店側表示部１０には、特殊景品について、「大」の表記と「１」、「中」の表記と「１」、「小」の表記と「０」とが表示され、端数が「５０玉」と表示され、　
　該２４５０玉の一部を一般景品の煙草１０個に用いれば、店側表示部１０には、特殊景品について、「大」の表記と「０」、「中」の表記と「４」、「小」の表記と「３」とが表示され、端数が「６０玉」と表示される、　
　パチンコ玉を景品と交換する際に利用される装置。」　　　
　の発明（以下「引用発明１」という）が記載されている。　　　
　
６．補正発明と引用発明１の一致点及び相違点の認定　　
　引用発明１において、「ＰＯＳ７」及びこれと協働する「景品管理装置１」とを含み、「パチンコ玉を景品と交換する際に利用される装置」は、補正発明における「景品交換管理装置」に相当する。また、引用発明１において景品と交換する「パチンコ玉」は、補正発明における「遊技客が獲得した遊技媒体」に相当し、引用発明１においても補正発明と同様、「その個数に応じて」交換を行うことが明らかである。そして、引用発明１における「５０００円分、１０００円分、２００円分の交換価値を持ち、それぞれパチンコ玉２０００玉、４００玉、８０玉と交換される特殊景品」は、後の換金の際に区別可能であるためには種類毎に異なっていることが明らかであるから、「色」が異なるかはひとまず措くとして、「交換価値金額毎に異なる複数種類の特殊景品」である点で、補正発明における「交換価値金額毎に異なる色に着色された複数種類の特殊景品」と一致する。　
　すなわち、「遊技客が獲得した遊技媒体を、その個数に応じて、交換価値金額毎に異なる複数種類の特殊景品に交換する際に利用する景品交換管理装置」であることは、引用発明１と補正発明との一致点である。　
　引用発明１において、それぞれ５０００円分、１０００円分、２００円分の交換価値を持つ「特殊景品」を「店側表示部１０」上で示す「大」、「中」、「小」の表記は、「特殊景品の種類毎に、対応する特殊景品を示す表示」である点で、補正発明における「前記特殊景品の種類毎に、対応する特殊景品の着色と同色ないし同系色に設定された色のみを示す色表示」と一致する。また、引用発明１において、「大」「中」「小」の表記が「店側表示部１０」上で各特殊景品を示すものとして表示されるからには、「店側表示部１０」を有する「ＰＯＳ７」、あるいは景品交換に関して該「ＰＯＳ７」と協働する「景品管理装置１」のいずれかに、「ＲＡＭ１８」またはこれに類似する記憶手段が存在し、該「大」「中」「小」の表示用表記を特殊景品の種類と対応づけて記憶していることは明らかである。当該記憶している記憶手段は、補正発明における「記憶する記憶手段」に相当する。　
　引用発明１における「パチンコ玉の玉数を示す預り券のバーコード」は、補正発明における「前記遊技媒体の個数を含むデータ」に相当し、引用発明１における「ハンドスキャナー１３」は、補正発明における「入力するデータ入力手段」に相当する。　
　引用発明１における「店側表示部１０」は、補正発明における「表示手段」に相当する。また、該「店側表示部１０」は「店側」の表示部であるから、補正発明と同様に「景品交換管理装置を操作する店員側に設けられ」ていることは明らかであり、その点も引用発明１と補正発明との一致点である。そして、引用発明１において、「読み取ったパチンコ玉の玉数」の「２４５０玉」に対して、対応する特殊景品の種類と数が「大１、中１、小０」と表示され、また、「２４５０玉」の一部を一般景品に用いれば、残りの一部の玉数に対応する特殊景品の種類と数が「大０、中４、小３」と表示されるからには、「読み取ったパチンコ玉の玉数」の全部または一部を各特殊景品の個数に換算する演算手段は、引用発明１にも当然に備わっている。なお、端数が出るかどうかはその時の「玉数」次第であるから、「２４５０玉」の場合に「端数」が生じていることをもって、引用発明１が「玉数」の全部を特殊景品の個数に換算しないということはできない。すなわち、引用発明１と補正発明とは、「このデータ入力手段によって入力された前記遊技媒体の個数の全部または一部を各特殊景品の個数に換算する演算手段と、当該景品交換管理装置を操作する店員側に設けられ、前記演算手段によって換算された各特殊景品の個数に応じて、当該特殊景品の種類毎に、前記記憶手段に記憶された表示を、個数を示す文字と共に表示する表示手段」を有する点でも一致する。　
　
　以上をまとめると、補正発明と引用発明１は、　　　
「遊技客が獲得した遊技媒体を、その個数に応じて、交換価値金額毎に異なる複数種類の特殊景品に交換する際に利用する景品交換管理装置であって、
　前記特殊景品の種類毎に、対応する特殊景品を示す表示を記憶する記憶手段と、　
　前記遊技媒体の個数を含むデータを入力するデータ入力手段と、　
　このデータ入力手段によって入力された前記遊技媒体の個数の全部または一部を各特殊景品の個数に換算する演算手段と、　
　当該景品交換管理装置を操作する店員側に設けられ、前記演算手段によって換算された各特殊景品の個数に応じて、当該特殊景品の種類毎に、前記記憶手段に記憶された表示を、個数を示す文字と共に表示する表示手段と　
を備える、景品交換管理装置。」　　
　である点で一致し、次の各点で相違する。　　　
　　
＜相違点１＞　　　
　補正発明においては、交換価値金額毎に異なる複数種類の特殊景品が、それぞれ「異なる色に着色」されているのに対して、引用発明１では異なる色に着色されているか否かは不明である点。　
＜相違点２＞　
　補正発明においては、表示手段上で特殊景品の種類毎に対応する特殊景品を示す表示が、「対応する特殊景品の着色と同色ないし同系色に設定された色のみを示す色表示」であり、かつ、該「色表示は矩形をなしている」のに対して、引用発明１では「大」「中」「小」の表示である点。　
　なお、補正発明が「色のみを示す色表示」としながら「色表示は矩形をなしている」とする点は、厳密にいえば整合性を欠く。しかしこの点については、　
・解釈１；　「色のみを示す色表示」という語は「矩形」という形があることを排除せず、矩形の色表示が記憶され、かつ表示されるという趣旨、　
・解釈２；　「色表示」が記憶され「前記色表示」が表示されるという記載であるが、「記憶手段に記憶」されているのは各特殊景品と「色のみ」との対応関係であって、表示の際には「矩形」で表示されるという趣旨、　
　のいずれかと善解し、これら両方の解釈について検討を行うこととする。
　
７．相違点の判断及び補正発明の独立特許要件の判断　　　
（１）相違点１について　　　
　たとえば、本件出願前に頒布され、原査定の理由に引用された登録実用新案第３０１６７０８号公報（以下、「引用例２」という。）には、「景品Ｋは、プラスチック製で、縦８５ｍｍ×横５５ｍｍ×厚さ３ｍｍのカード状に形成されている。そして、長手方向に沿った両縁付近には、景品識別用のバーコードＢが印刷されている。バーコードＢには、景品Ｋの金額情報が示されており、本実施例では、１０００円，２０００円，５０００円の３種類のいずれかである。また、景品Ｋは、この金額情報に応じて夫々異なる色（例えば、赤、青、黄）に着色されている。」（段落【００１７】）と記載されており、また、同じく本件出願前に頒布され、原査定の理由に引用された登録実用新案第３０２９８８７号公報（以下、「引用例３」という。）には、「景品カードＫには、例えば磁気カードが使用され、その磁気記録部に予め暗証番号、金額等が磁気記録されている。また、景品カードＫの表面には、金額に応じた所定の色の着色部が印刷され、その着色部の色がカラーセンサ４により検知される。そのカラーセンサ４は、カードリーダ３の後方に配設される。」（段落【００１３】）と記載されているように、パチンコ機等を扱う遊技店において、交換価値金額に応じて異なる色の着色がされたカード状の複数種類の特殊景品を用いることは、周知技術であり、しかも、遊技店を訪れる遊技客にも広く知られた事項と言わざるを得ない。その一方、引用発明１では特殊景品の交換価値に着目して「大」「中」「小」と表示をしているのか、それともサイズの異なる特殊景品を想定して、特殊景品の外観サイズに対応して「大」「中」「小」の表示をしているのかも不明であるが、いずれにしても、特殊景品として、交換価値に応じて着色の異なるカード状の特殊景品が上述のように周知である以上、該周知の特殊景品を採用することは想到容易な事項と言わざるを得ない。　
　すなわち、相違点１に係る補正発明の構成を得ることは想到容易である。
　　
（２）相違点２について　　　
　相違点１に検討した如く、特殊景品として、交換価値に応じて異なる色に着色された複数種類のカード状のものを用いる場合、たとえば引用例２の場合のようにカードにバーコードが付加されていたり、あるいは引用例３の場合のようにカードに磁気データが付加されていたとしても、バーコードや磁気データは店員や遊技客にとって視認識別性の良いものではないから、該カード状の特殊景品に着色された色が、店員や遊技客が特殊景品の種類を視認識別するうえで、重要な要素となることが明らかである。そうであれば、引用発明１を出発点としても、相違点１に検討したとおり、特殊景品として交換価値毎に異なる色が着色されたカードを採用する場合には、当該採用した特殊景品の種類を視認識別するうえでの重要な要素となる色を、店側表示部１０上で各特殊景品の種類を示す表示として、「大」「中」「小」の表記に代えて用いることは、想到容易というほかはない。その際、カードの着色と完全に同じ色を表示画面上で用いずとも、種類の区別がつけば十分であるから、対応する特殊景品と同色ないし同系色の色を、表示部での表示のために設定することは、設計事項である。　
　ここで、引用発明１において採用していた「大」「中」「小」の表記自体が、各特殊景品の種類の相違を１つの文字に単純化して示すものであったように、単純化した表示を用いることはきわめて一般的な配慮事項であるところ、色によって特殊景品の種類の区別が示されるようにした以上は、主として色のみを用いて特殊景品の種類を示す表示を行うことは、単純化した表示を用いるという前述した一般的な配慮事項として、表示画面のデザインを検討する当業者であれば適宜なし得る程度の事項である。加えて、主として色のみを用いるといっても、画面全体を複数種類の特殊景品の対応色で埋め尽くしてしまっては情報の判別が困難になることは明白であるから、各特殊景品を示す色を表示する領域は、それぞれ表示部画面上の一部分に設定する必要があることが明らかである。そして、たとえば特開２０００−３０４６０１号公報の【図１２】における「表示色をお選び下さい」の欄で各色が矩形領域内に示され、あるいはたとえば特開平９−２５３３１０号公報の【図３】における「色選択」の欄で色が円形領域に示されているように、矩形や円形といった単純な形状は、取り立てて形状を問題とする必要がない場合に、色を表示する領域を設定するうえで適宜汎用される代表的な形状に過ぎない。そうであれば、引用発明１において、「大」「中」「小」の表記に代えて各特殊景品の色を示すに際して、各色の表示領域を矩形とすることは、汎用される代表的な領域形状としての矩形を単に選択することにより、適宜なし得た事項と言わざるを得ない。　
　また、「矩形」についてさらに付言すれば、引用発明１を出発点として、先に引用例２または引用例３に示した周知技術の如く、着色区別されたカード状の特殊景品を用いる際に、カードとして代表的な形状は矩形である。そして、たとえば特開２０００−３３４１５０号公報あるいは特開平１０−１５２０４号公報にも示される如く（端的にはいずれも要約欄を参照）、パチンコの景品交換においても、景品を示すのに外観イメージを表示することは周知技術である。そうであれば、着色区別されたカード状の特殊景品に対応する色表示の領域形状を選定するに際して、汎用される代表的な領域形状であるとともにカードの代表的外形とも整合する「矩形」を選ぶことは、外観イメージの表示という周知技術を勘案した選択としても、当業者にとって何らの困難性もなかった事項と言うべきである。　
　なお、相違点の認定においても述べたように、補正発明が「色のみを示す色表示」と記載しつつ「前記色表示は矩形をなしている」と記載する点は、整合性を欠く。しかしながら、複数種類の特殊景品を矩形の色表示で表示部上に示すに際しては、矩形の色表示を形状も含めたマークとして記憶手段に記憶するか、それとも、記憶手段への記憶は特殊景品の種類と色のみとの対応関係として、該色の表示領域を表示の際に矩形とするかは、いずれも適宜選択できる事項である。そのため、補正発明の上記記載については、「色のみを示す色表示」の語は矩形形状であることを含み、矩形の色表示が記憶されて表示されるという趣旨（解釈１）、及び、「記憶手段に記憶」されているのは各特殊景品と「色のみ」との対応関係であり、表示の際に「矩形」で表示されるという趣旨（解釈２）の、いずれと善解しても、設計事項と言わざるを得ない。　
　よって、相違点２に係る補正発明の構成を得ることは、想到容易である。
　
（３）補正発明の独立特許要件の判断　　　
　相違点１乃至２に係る補正発明の構成を得ることは、いずれも上述のとおり想到容易であり、そうしたことによる格別の作用効果を認めることもできない。　　　
　したがって、補正発明は、引用発明１及び上述の各周知技術に基づいて、当業者が容易に発明をすることができたものであるから、特許法第２９条２項の規定により、特許出願の際独立して特許を受けることができない。　　　
　すなわち、本件補正は、平成１８年改正前特許法１７条の２第５項で準用する同法１２６条５項の規定に違反している。　　　
　
　　　
［補正の却下の決定のむすび］　
　　
　以上述べたとおり、本件補正は平成１８年改正前特許法１７条の２第５項で準用する同法１２６条５項の規定に違反しているので、同法１５９条１項で読み替えて準用する同法５３条１項の規定により、却下されなければならない。　　　
　よって、補正の却下の決定の結論のとおり決定する。　　　
　
　　
第３　本件審判請求についての判断　　　　
　
１．本願発明の認定　　　　
　平成２０年６月２３日付け手続補正は当審において却下されたから、本願の請求項１に係る発明（以下「本願発明」という。）は、平成２０年１月１５日付け手続補正により補正された明細書の特許請求の範囲における、【請求項１】に記載された事項によって特定されるべきものとなる。その記載は、「第２　補正の却下の決定」の「１．補正内容」において、（補正前）【請求項１】として示したとおりである。　　　　
　　　
２．引用刊行物記載の発明の認定、本願発明との対比、及び相違点の判断　
　本願出願前に頒布された刊行物である、原査定の拒絶の理由に引用された引用例１には、「第２　補正の却下の決定」の「５．引用刊行物記載の発明の認定」において認定したとおりの引用発明１が記載されている。　　
　本願発明は、「第２　補正の却下の決定」の「２．補正事項及び補正目的」で述べたとおり、「表示手段」が「店員側」に設けられるという、補正発明における限定を有さないものである。そのため、本願発明と引用発明との一致点は、「表示手段」が「店員側」に設けられるという点を除き、「第２　補正の却下の決定」の「６．」で認定したと同様となり、両者の相違点は同「６．」で認定したとおりとなる。そして、当該相違点については、「第２　補正の却下の決定」の「７．」で検討したとおりである。　
　すなわち、本願発明は引用発明１及び周知技術に基づいて、当業者が容易に発明をすることができたものであるから、特許法２９条２項の規定により特許を受けることができない。　　　　　
　
　
第４　むすび　　
　　
　本件補正が却下されなければならず、本願発明が原査定の理由のとおり特許を受けることができない以上、本願は拒絶せざるを得ない。　　
　　
　よって、結論のとおり審決する。